(57)【要約】      （修正有）【課題】特に動バランスのナット及び取り外しを容易にするチャックを備える、切削装置の固定構造を提供する。【解決手段】切削装置の固定構造は、ホルダ１０と、チャック２０と、切削工具３０と、ナット４０と、を有し、該ホルダ１０は、先端面に取付穴１１が凹設されると共に、先端の外周面にネジ山１２が形成され、該チャック２０は、ホルダ１０の取付穴１１に挿設され、外周面に環状の当接凹部２１が形成されると共に、先端面に貫通穴２２が凹設され、該切削工具は、チャック２０の貫通穴２２に挿設され、該ナット４０は、ホルダ１０のネジ山１２に螺合され、環状の内周面の一部に環状駆動部４１が凸設され、該環状駆動部４１が部分的にチャック２０の当接凹部２１に挿し込まれ、環状の内周面における、環状駆動部４１と隣り合う箇所にバランス凹部４２が部分的に凹設され、環状の内周面に、突起及び延出部が間隔をおいて凸設されるものである。【選択図】図３
0003214960.tif 000002
【実用新案登録請求の範囲】
【請求項１】
先端面に取付穴が凹設されると共に、先端の外周面にネジ山が形成される、ホルダと、
前記ホルダの取付穴に挿設され、外周面に環状の当接凹部が形成されると共に、先端面に貫通穴が凹設される、チャックと、
前記チャックの貫通穴に挿設される、切削工具と、
前記ホルダのネジ山に螺合され、環状の内周面の一部に環状駆動部が凸設され、該環状駆動部が部分的にチャックの当接凹部に挿し込まれ、環状の内周面における、環状駆動部と隣り合う箇所にバランス凹部が部分的に凹設され、環状の内周面に、突起及び延出部が間隔をおいて凸設される、ナットと、を有することを特徴とする、
動バランスのナット及び容易に取り外し可能なチャックを備える切削装置の固定構造。
【請求項２】
前記突起及び延出部は、ナットの環状の内周面における径方向の相対する両側に配置されることを特徴とする請求項１に記載の動バランスのナット及び容易に取り外し可能なチャックを備える切削装置の固定構造。
【考案の詳細な説明】
【技術分野】
【０００１】
本考案は、特に動バランスのナット及び取り外しを容易にするチャックを備える、切削装置の固定構造に関するものである。
【背景技術】
【０００２】
既存の切削工具の固定構造は、ホルダと、チャックと、ドリルと、ナットを有し、該ホルダの先端に取付穴が凹設されると共に、先端の外周面にネジ山が形成され、該チャックは取付穴に挿設され、該ナットはホルダのネジ山に螺合され、そのうち、ナットの環状の内周面の一部に、環状連動部が凸設される。
この構成によれば、該環状連動部は、チャックの外周面と接触することから、ナットをホルダから取り外す場合、ナットの環状連動部がチャックの外周面と接触しながら、チャックをホルダから抜き出すことができるため、一気に取り外すことができる。
【考案の概要】
【考案が解決しようとする課題】
【０００３】
しかしながら、既存の切削工具の固定構造は、使用上において、ドリルが高速回転すると、ナットの内周面に凸設された環状連動部が高速回転して回転バランスが不均衡となる問題があり、ドリルが振動してしまうことから、切削加工に悪影響を及ぼすので、改良する必要があった。
【課題を解決するための手段】
【０００４】
本考案に係る動バランスのナット及び容易に取り外し可能なチャックを備える切削装置の固定構造は、先端面に取付穴が凹設されると共に、先端の外周面にネジ山が形成される、ホルダと、前記ホルダの取付穴に挿設され、外周面に環状の当接凹部が形成されると共に、先端面に貫通穴が凹設される、チャックと、前記チャックの貫通穴に挿設される、切削工具と、前記ホルダのネジ山に螺合され、環状の内周面の一部に環状駆動部が凸設され、該環状駆動部が部分的にチャックの当接凹部に挿し込まれ、環状の内周面における、環状駆動部と隣り合う箇所にバランス凹部が部分的に凹設され、環状の内周面に、突起及び延出部が間隔をおいて凸設される、ナットと、を有するものである。
【０００５】
かかる動バランスのナット及び容易に取り外し可能なチャックを備える切削装置の固定構造は、前記突起及び延出部が、ナットの環状の内周面における径方向の相対する両側に配置されることが好ましい。
【考案の効果】
【０００６】
本考案に係る動バランスのナット及び容易に取り外し可能なチャックを備える切削装置の固定構造は、既存の切削工具ホルダの、高速回転時に回転バランスが不均衡となる問題を解決でき、ナットにおけるバランス凹部及び環状駆動部の構成により回転バランスを均衡させることができる。
また、突起及び延出部の構成を有すれば、チャックをホルダから取り外しても床に落下したり、周囲の人に怪我をさせたりすることもない。
【図面の簡単な説明】
【０００７】
【図１】本考案に係る動バランスのナット及び容易に取り外し可能なチャックを備える切削装置の固定構造の斜視図である。
【図２】本考案に係る動バランスのナット及び容易に取り外し可能なチャックを備える切削装置の固定構造の分解斜視図である。
【図３】本考案に係る動バランスのナット及び容易に取り外し可能なチャックを備える切削装置の固定構造の断面図である。
【図４】本考案に係る動バランスのナット及び容易に取り外し可能なチャックを備える切削装置の固定構造におけるナットの部分断面斜視図である。
【図５】本考案に係る動バランスのナット及び容易に取り外し可能なチャックを備える切削装置の固定構造におけるナットの側面視断面図である。
【図６】図５のＡ−Ａ線の断面図である。
【図７】図６の部分拡大図である。
【考案を実施するための形態】
【０００８】
本考案に係る動バランスのナット及び容易に取り外し可能なチャックを備える切削装置の固定構造は、図１及び図２に示すように、ホルダ１０と、チャック２０と、切削工具３０と、ナット４０を有する。
【０００９】
前記ホルダ１０は、先端１０１及び後端１０２を備え、該先端１０１に取付穴１１が凹設され、該先端１０１の外周面にネジ山１２が設けられ、前記チャック２０は、ホルダ１０のネジ山１２に挿設され、外周面に環状の当接凹部２１が形成されると共に、先端の端面に貫通穴２２が凹設される。
前記切削工具３０は、挿入端３１及び切削端３２を備え、挿入端３１を介してチャック２０の貫通穴２２に挿設される。該切削端３２は、鋭い刃であり、チャック２０の貫通穴２２から露出し、該挿入端３１は、外径が同一で外周面が平坦状を呈する棒体である。
【００１０】
図３に示すように、前記ナット４０は、ホルダ１０のネジ山１２に螺合され、環状の内周面の一部に環状駆動部４１が凸設され、該環状駆動部４１の部分がチャック２０の当接凹部２１に挿し込まれ、環状の内周面における、環状駆動部４１と隣り合う箇所にバランス凹部４２が部分的に凹設される。
この構成によれば、本考案に係る動バランスのナット及び容易に取り外し可能なチャックを備える切削装置の固定構造を回転させると、バランス凹部４２と環状駆動部４１との構成により、回転バランスを均衡させる効果を提供できる。尚、図６、図７に示すように、前記ナット４０における環状の内周面に、突起４３及び延出部４４が間隔をおいて凸設され、該突起４３及び延出部４４は、ナット４０の環状の内周面における、径方向（図６に示した直線Ｄの如く）の相対する両側に配置されることが好ましい。
【００１１】
本考案に係る動バランスのナット及び容易に取り外し可能なチャックを備える切削装置の固定構造によれば、回転させると、ナット４０におけるバランス凹部４２の回転トルクと環状駆動部４１の回転トルクとが回転バランスを維持することから、バランス凹部４２及び環状駆動部４１により、動バランスのナット及び容易に取り外し可能なチャックを備える切削装置の固定構造をスムーズに回転することができる。
すなわち、動バランスのナット及び容易に取り外し可能なチャックを備える切削装置の固定構造を回転させた場合、ナット４０は穏やかに回転するので、振動することはない。
【００１２】
さらに、図６に示すように、前記ナット４０の環状の内周面に突起４３及び延出部４４が設けられることから、ナット４０をホルダ１０から取り外す過程において、突起４３及び延出部４４がチャック２０を押し付けてホルダ１０から脱出することはないので、チャック２０をホルダ１０から取り外しても床に落下して破損したり、周囲の人に怪我させたりすることはない。
【符号の説明】
【００１３】
１０    ホルダ
１０１  先端
１０２  後端
１１    取付穴
１２    ネジ山
２０    チャック
２１    当接凹部
２２    貫通穴
３０    切削工具
３１    挿入端
３２    切削端
４０    ナット
４１    環状駆動部
４２    バランス凹部
４３    突起
４４    延出部
【図１】
0003214960.tif 000003
【図２】
0003214960.tif 000004
【図３】
0003214960.tif 000005
【図４】
0003214960.tif 000006
【図５】
0003214960.tif 000007
【図６】
0003214960.tif 000008
【図７】
0003214960.tif 000009